(57)【要約】【課題】一般的に容器収納室内の左右部分に前後方向にレールを設け容器の左右側壁に形成した載置部をこのレールに載置して、容器を前後スライド可能に支持している。この構成では、容器の引き出し及び収納の操作時に容器が左右方向に揺れてスムースなスライドが得られ難い。本発明はこの点の改良に関する。【解決手段】容器の左右側壁を貯蔵庫内の容器収納室内の左右部分でスライド可能に支持して前後方向に引き出し可能とした貯蔵庫において、前記容器収納室の底板には前記容器を前後方向にスライド可能に支持するレール部を形成し、前記容器の側壁には前記レール部の上面に対応して前後方向に延びた下向きの凸状部を設け、前記レール部の前部には前記凸状部が前後方向に移動可能に嵌って前記凸状部の左右方向への移動が制限される幅の溝を形成したこと。【選択図】　　図１
2004085055.tif 000002
【特許請求の範囲】
【請求項１】
容器の左右側壁を貯蔵庫内の容器収納室内の左右部分でスライド可能に支持して前後方向に引き出し可能とした貯蔵庫において、前記容器収納室の底板には前記容器を前後方向にスライド可能に支持するレール部を形成し、前記容器の側壁には前記レール部の上面に対応して前後方向に延びた下向きの凸状部を設け、前記レール部の前部には前記凸状部が前後方向に移動可能に嵌って前記凸状部の左右方向への移動が制限される幅の溝を形成したことを特徴とする貯蔵庫。
【請求項２】
前記溝は、前記凸状部の下端部に対応する底部の幅が前記凸状部の厚さと同一又は若干広く、前記溝の左右側壁は底部から外側へ広がった傾斜面を形成したことを特徴とする請求項１に記載の貯蔵庫。
【発明の詳細な説明】
【０００１】
【発明の属する技術分野】
本発明は、容器の左右側壁を貯蔵庫内の前記容器収納室内の左右部分で支持して前後方向に引き出し可能に支持した貯蔵庫に関する。
【０００２】
【従来の技術】
冷蔵庫等の如き貯蔵庫において、容器の左右側壁を貯蔵庫内の容器収納室内の左右部分で支持して前後方向に引き出し可能に構成した容器支持装置として、一般的には、容器収納室内の左右部分に前後方向にレールを設け、容器の左右側壁に形成した載置部をこのレールに載置して、容器を前後スライド可能に支持している。この構成では、容器の引き出し及び収納の操作時に、容器が左右方向に揺れてスムースなスライドが得られ難い。また、容器の左右方向の揺れを制限するために容器収納室の側壁に突起を取り付けるものもあるが、このような構成では部品数が増えて、構造が複雑化し、取り付け作業も増える等の問題がある。
【０００３】
【発明が解決しようとする課題】
本発明は、このような点を考慮して、容器の左右方向への移動が制限されると共に、容器の前後スライド抵抗が少なく容器の引き出し及び収納の操作がスムースに行える装置を提供する。この場合、容器の引き出し位置を制限するストッパを設けた場合、ストッパを有効利用するためにストッパの上面を前記容器の支持部に利用する構成を提供する。
【０００４】
【課題を解決するための手段】
本発明の貯蔵庫は、容器の左右側壁を貯蔵庫内の容器収納室内の左右部分でスライド可能に支持して前後方向に引き出し可能としたものにおいて、前記容器収納室の底板には前記容器を前後方向にスライド可能に支持するレール部を形成し、前記容器の側壁には前記レール部の上面に対応して前後方向に延びた下向きの凸状部を設け、前記レール部の前部には前記凸状部が前後方向に移動可能に嵌って前記凸状部の左右方向への移動が制限される幅の溝を形成したことを特徴とする。
【０００５】
また、前記溝は、前記凸状部の下端部に対応する底部の幅が前記凸状部の厚さと同一又は若干広く、前記溝の左右側壁面は前記溝の底部から外側へ広がった傾斜面を形成したことを特徴とする。
【０００６】
これによって、前記容器は、前記溝と前記凸状部との嵌り合い関係によって左右方向への移動が制限されるため、前後スライド操作もスムースに行える。そして、前記溝はレール部の前部に形成することによって、レール部の全長に形成した場合に比して前記凸状部とのスライド抵抗が大きくならずスライドし易く、容器を収納室へセットする作業もし易くなる。また、レール部を容器収納室の底板に形成し、このレール部に容器の左右移動を制限するための溝を形成することによって、容器収納室の底板とは別にレール部を形成するものに比して構成が簡素化される。
【０００７】
また、凸条部に対応する溝の幅が略凸条部の厚さであり、溝を形成する左右壁面が、上方へ行くにしたがって広がった形状をなすことによって、左右移動の制限が良好である。そして、容器の凸条部を溝に嵌め易く、容器収納室内への容器の取り付けが容易となり、容器が左右に揺れて凸条部がこの壁を登っても溝の底面へ向けた復帰が早く、容器のスライドの安定化が期待できる。
【０００８】
【発明の実施の形態】
次に、本発明の実施の形態について説明する。各図は本発明の実施形態を示しており、図１は本発明容器支持装置の構成斜視図、図２は本発明容器支持装置の要部斜視図、図３は図２のＡ−Ａ対応断面図、図４は図２のＢ−Ｂ対応断面図、図５は本発明容器支持装置を適用した冷蔵庫の正面図、図６は図５の冷蔵庫本体の正面図、図７は図６の冷蔵庫本体の縦断側面図、図８は図６の容器収納室へ容器を収納した状態の説明図、図９は図６の容器収納室から容器を取り外した状態の説明図、図１０は本発明容器支持装置の他の実施形態の斜視図、図１１は図１０のＣ−Ｃ部分に対応する断面図である。
【０００９】
本発明に係る貯蔵庫の一つである冷蔵庫に基づき説明する。図において、冷蔵庫１は、全面開口の本体２内を区画して複数の貯蔵室を形成し、これら各貯蔵室の前面は扉で開閉できる構成である。冷蔵庫本体２は、外箱（外壁板）２Ａと内箱（内壁板）２Ｂとの間に発泡断熱材２Ｃを充填した断熱構造である。冷蔵庫本体２内には、上から冷蔵室３、野菜室４、上冷凍室５と製氷室７、下冷凍室６が区画されて設けられ、冷蔵室３内の底部にはその上方の冷蔵室３と区画板（区画壁）８にて区画された特定低温室９が設けられている。上冷凍室５は冷気量調節装置を手動操作して冷蔵室とすることもできるので、切り換え室と称することもできる。
【００１０】
冷蔵室３の前面開口は、冷蔵庫本体２の一側部にヒンジ装置にて横方向に回動して開閉される回動式の冷蔵室扉１０にて閉塞される。野菜室４の前面開口は、野菜室４内に設けた左右のレール又はローラ装置１２１によって前後方向へ引き出し可能に支持した野菜容器１５と共に前方へ引き出される引き出し式扉１１にて閉塞されている。上冷凍室５と下冷凍室６はそれぞれ野菜室４と同様に、冷凍室内に設けた左右のレールに対して、それぞれ前後方向へ引き出し可能に支持した容器１６、１７と共に前方へ引き出される引き出し式扉１２、１３にて閉塞されている。
【００１１】
製氷室７内には、上部に自動製氷機１８を設けその下部に貯氷容器１９を配置している。貯氷容器１９は、野菜室４と同様に、製氷室７内の左右壁に設けた左右のレールに対してそれぞれ前後方向へ引き出し可能に支持されており、製氷室７の前面開口を開閉する引き出し式扉１４と共に前方へ引き出される仕組みである。２０は自動製氷機１８へ供給する製氷用水を貯める給水容器であり、冷蔵室３内において特定低温室９の横を区画壁４５で仕切って形成した小室４６に配置されており、冷蔵室３の前面扉１０を開いて前方へ取り出し自在である。製氷用水は給水容器２０からポンプ２１によって吸い上げられて給水パイプ２２を介して自動製氷機１８の製氷皿２３へ供給される。
【００１２】
２４は冷凍システムの冷媒の圧縮機、２５は冷凍システムの冷媒の凝縮器である。２６は凝縮器２５の熱によって後述の除霜水を蒸発させるための蒸発皿であり、凝縮器２５上に載置して冷蔵庫本体２の前面下部から引き出し自在である。圧縮機２４、凝縮器２５、蒸発皿２６は、冷蔵庫本体２の下部に設けた機械室２８に設置されている。２９、３０は冷凍システムの冷媒の蒸発器（冷却器）である。３１は第１蒸発器（冷却器）２９で冷却した冷気を上冷凍室５、下冷凍室６及び製氷室７へ循環する第１送風機、３２は第２蒸発器（冷却器）３０で冷却した冷気を冷蔵室３、野菜室４及び特定低温室９へ循環する第２送風機である。３３は第１蒸発器（冷却器）２９の除霜用ガラス管ヒータ、３４は、第２蒸発器（冷却器）３０の除霜用ガラス管ヒータである。第１蒸発器（冷却器）２９及び第２蒸発器（冷却器）３０の除霜水は排水管を通って蒸発皿２６へ導かれてそこで蒸発する。３５は第２蒸発器（冷却器）３０で冷却された冷気が第２送風機３２から導かれる冷気ダクトであり、冷蔵室３の上壁に幅広く配置されその前端は冷蔵室３の前面開口部の上面に形成した冷気吹き出し口３６へ連通している。この冷気吹き出し口３６から吹き出す冷気は、冷蔵室３の前面開口部を矢印のように上から下へ流れる冷気カーテン３７を形成する。第１蒸発器（冷却器）２９で冷却した冷気と第２蒸発器（冷却器）３０で冷却した冷気は、夫々第１送風機３１及び第２送風機３２によって矢印のように循環して各室を所定温度に冷却する。
【００１３】
このような構成において、各室の温度は、冷蔵室３が約３〜４℃、野菜室４が約４〜６℃に保たれ、上冷凍室５と下冷凍室６と更に製氷室７が約−１８℃〜−２０℃である。また、冷蔵室扉１０の内側に設けた貯蔵棚３８上は５〜８℃である。特定低温室９は、０℃よりも高い約１℃のチルド室であったり、０℃よりも低く食品の凍結温度よりも高い約０〜−１℃の氷温室であったり、また、食品の表面に薄い氷の層が形成される程度の約−４℃の部分凍結室であったりする。このように特定低温室９は、食品を特定の温度領域内で冷却保存するためのものであり、他の室に比して厳しい温度制御が要求される。
【００１４】
特定低温室９内には、食品を貯蔵するために上面開口の合成樹脂製容器５０が前後スライド可能に設けられている。特定低温室９は、本発明に係る貯蔵庫内の容器収納室の一つである。容器５０は、容器５０の左右側壁５１、５２を特定低温室９内の左右側壁部分で支持して前後方向に引き出し可能である。特定低温室９内の左側壁は区画壁４５に相当し、特定低温室９内の右側壁は冷蔵庫本体２を構成する部分の冷蔵室３の内箱（内壁板）２Ｂに相当する。９０は容器５０の引き出しに伴って前方へ回動するよう上端部を区画板８等に軸支持したフラップである。
【００１５】
容器５０の左側壁５１には、その下部に前後方向に水平状態に延びた支持部５３と、その上方後部には支持突起５４を設けている。また容器５０の右側壁５２には、その下部に前後方向に水平状態に延びた支持部５５と、その上方後部には支持突起５６を設けている。
【００１６】
特定低温室９内の左側壁である区画壁４５には、支持突起５４に対応して前後方向に水平状態に延びたレール部５７と、支持部５３に対応する支持部５８が特定低温室９の前寄りに設けられている。また、特定低温室９内の右側壁である内箱（内壁板）２Ｂには、支持突起５６に対応して前後方向に水平状態に延びたレール部５９を設け、特定低温室９の合成樹脂製底板７１には一体成形によって、支持部５５に対応して前後方向に水平状態に延びたレール部６０が設けられている。
【００１７】
支持部５３は、左端下面に前後方向に水平状態に延びた下向きの凸状部６１を形成している。レール部６０の上面のレール面６５に対応するように、支持部５５は右端下面に前後方向に水平状態に延びた下向きの凸状部６２を形成し、凸状部６２の後部には下方へ突出する係止突起部６７を形成している。レール部５７は、支持突起５４の上下に対応して前後方向に水平状態に延びたレール辺６３、６４を有する。また、レール部６０の前端部には、レール部６０の上面のレール面６５よりも上方に突出した左右壁６６Ａ、６６Ｂによって、その間に凸状部６２が緩く嵌る溝７０を形成している。右壁６６Ｂはレール部６０に前後方向に長く形成している。溝７０の底面はレール面６５と連続した同一面をなす。
【００１８】
レール部６０の前端に近接した前方位置には、レール部６０のレール面６５よりも高い上面を持つストッパ６８を特定低温室９内の右側壁部分２Ｂに設けている。ストッパ６８はそのベース板６９を内箱（内壁板）２Ｂに形成した取り付け開口部に嵌め込んで取り付けている。
【００１９】
この構成によって、容器５０の右側では、レール部５９の下面に近接して支持突起５６が対峙し、レール部６０のレール面６５に係止突起部６７が載置され、凸状部６２がストッパ６８の上面に載置され、凸状部６２が溝７０に緩く入り込んだ状態である。また、容器５０の左側では、上下のレール辺６３、６４間に支持突起５４が位置し、支持部５３の下向き凸状部６１が支持部５８の上面に載った状態である。容器５０が特定低温室９内の所定位置に押し込まれた状態では、容器５０及びその中に収納した物品の荷重によって、容器５０の左側では、支持突起５４がレール辺６４に支持され、凸状部６１が支持部５８に支持され、容器５０の右側では、レール部６０のレール面６５に係止突起部６７が支持され、凸状部６２がストッパ６８の上面に支持されて、凸状部６２が溝７０に緩く入り込んだ状態である。このように、容器５０の左右が支持された状態において、容器５０は前後方向へスライド可能である。
【００２０】
この状態において、容器５０を前方に引くと、凸状部６２が溝７０に入り込んだままの状態で容器５０は前方へ移動する。容器５０の底面と特定低温室９の底板７１との間には、冷気通路形成のため及び容器５０のスライドの抵抗にならないように間隔７２が形成されており、容器５０を前方に引き出したときには、支持突起５４と係止突起部６７が特定低温室９の前方寄りに移動することによって容器５０の右側と左側の支持部分は容器５０の後部寄りになるため、この間隔７２内で容器５０の前部が下方に傾く。この傾きは、支持突起５４がレール辺６３に当接し、支持突起５６がレール部５９の下面に当接することによって制限される。容器５０の前方への引き出しは、支持部５５の一部である係止突起部６７がストッパ６８に当接して制限される。左右で安定的にストッパ部を構成するためには、容器５０の左側でも容器５０の前方への引き出し制限を支持部５３の下面に形成した係止突起部７３が支持部５８に当接するようにしてもよい。
【００２１】
容器５０の前方への引き出しと所定位置への押し込み操作において、凸状部６２は溝７０に入り込んだままの状態である。溝７０はその後方のレール面６５と連続した底面を形成しており、凸状部６２の下端部に対応する底部の幅が凸状部６２の厚さと同一又は若干広く、溝７０の左右側壁は溝７０の底部から外側へ広がった傾斜面を形成している。このため、容器５０の左右方向の揺れは溝７０の左右壁６６Ａ、６６Ｂによって制限され、容器５０の前後方向のスライドをスムースに行える。また、容器５０が左右方向に揺れて凸状部６２が溝７０の左右壁に当接したときの抵抗も少なく、凸状部６２が溝７０の左右壁を登っても常に所定位置へ下降し復帰するため、容器５０は常に所定位置を保持できる。また溝７０の左右壁の傾斜によって、容器５０を特定低温室９に収納する場合に、凸状部６２を溝７０に嵌め合わせる操作がし易い。
【００２２】
一つの好ましい実施例として、凸状部６２の左右厚さを４．５ｍｍとし、溝７０の底面の幅は４．５ｍｍとし、溝７０の底面から左右壁６６Ａ、６６Ｂの高さが３ｍｍであり、溝７０の左右壁は溝７０の底面から左右壁６６Ａ、６６Ｂの高さまで４５°の傾斜で広がっている。なお、溝７０の底面の幅は、４．５ｍｍ〜５．５ｍｍでも所期の効果を得ることができる。
【００２３】
上記の実施形態では、容器５０の左右側の支持構造が異なるが、容器５０の右側の支持構造を左側に適用した構成とすることもできる。また、容器５０の右側の支持構造を容器５０の左右両側に適用することもできる。即ち、容器５０の右側の上記支持構造を容器５０の左右側壁の少なくとも一方に構成すればよい。
【００２４】
図１０及び図１１には本発明の他の実施形態を示している。図１乃至図９のものと同符合は同じ部分を示すものとし、その詳細を以下に説明する。容器５０の右側壁５２には、その下部に前後方向に水平状態に延びた支持部５５と、その上方後部の支持突起５６とを右側壁５２と一体成形で設けている。そして、特定低温室９内の右側壁２Ｂには、前述同様に支持突起５６に対応して前後方向に水平状態に延びたレール部５９を一体成形で設け、特定低温室９の合成樹脂製底板７１の右端部には一体成形によって支持部５５に対応して前後方向に水平状態に延びたレール部６０が形成されている。支持部５５の右端下面には前後方向に水平状態に延びた下向きの凸状部６２Ａを形成している。
【００２５】
レール部６０の前部には、レール部６０と一体成形の左右一対の壁６６Ａ、６６Ｂによってその間に前後方向の溝７０Ａをレール部６０に一体形成している。溝７０Ａの底面はレール部６０の上面のレール面６５と同一面である。左右一対の壁６６Ａ、６６Ｂの長さは同一でもよいが、右壁６６Ｂは、レール部６０の前後方向に長く形成している。溝７０Ａは、凸条部６２Ａが前後方向にスライド可能に嵌ると共に凸条部６２Ａの左右方向の移動を制限する幅を有する。このため、溝７０Ａの底部の幅は凸条部６２Ａの下端部の左右幅と同じか若干広い幅を有し、溝７０の左右側壁は溝７０Ａの底部から外側へ広がった傾斜面を形成している。
【００２６】
実施例として、凸条部６２Ａの左右厚さを４．５ｍｍとし、溝７０Ａの底面の幅は４．５ｍｍ、溝７０Ａの底面から左右壁６６Ａ、６６Ｂの高さが３ｍｍであり、溝７０Ａの左右壁は、溝７０Ａの底面から左右壁６６Ａ、６６Ｂの高さまで４５°の傾斜で広がっている。このため、凸状部６２Ａとの接触抵抗も少なく、また容器５０が左右に揺れて凸状部６２Ａがこの傾斜を登っても溝７０Ａの底へ容易に復帰する。支持部５５の凸状部６２Ａとレール部６０とで容器５０の右側の支持装置を構成する。凸状部６２の後端部は角を削った状態の傾斜６２Ｂによって、容器５０を特定低温室９内にセットするとき、凸状部６２Ａを溝７０Ａに挿入し易くしている。なお、溝７０の底面の幅は、４．５ｍｍ〜５．５ｍｍでも同様の効果を得ることができる。
【００２７】
この構成によって、凸状部６２Ａは、溝７０Ａに入り込んだ状態でレール部６０の上面のレール面６５をスライドする。容器５０の前方への引き出し制限は、支持部５３の下面に形成した係止突起部７３が支持部５８に当接することによって達成される。
【００２８】
本発明は、上記のように、凸状部６２又は６２Ａと、溝７０又は７０Ａとの組み合わせによって左右のゆれを制限するが、上記実施形態に限定されず、種々の形態の冷蔵庫や恒温庫、温蔵庫、冷凍庫等に適用でき、本発明の技術的範囲を逸脱しない限り種種の変更が考えられ、それに係る種種の実施形態を包含するものである。
【００２９】
【発明の効果】
本発明によって、容器は、溝と凸状部との嵌り合い関係によって左右方向への移動が制限されるため、前後スライド操作もスムースに行える。そして、溝はレール部の前部に形成することによって、レール部の全長に形成した場合に比して凸状部とのスライド抵抗が大きくならずスライドし易く、容器を収納室へセットする作業もし易くなる。また、レール部を容器収納室の底板に形成し、このレール部に容器の左右移動を制限するための溝を形成することによって、容器収納室の底板とは別にレール部を形成するものに比して構成が簡素化される。
【００３０】
また、請求項２の発明では、上記に加えて、凸状部に対応する溝の幅が略凸状部の厚さであり、溝を形成する左右壁面が、上方へ行くにしたがって広がった形状をなすことによって、左右移動の制限が良好であり、容器が左右に揺れて凸状部が溝の左右壁に当接したときの抵抗も少なくなる。また、容器の凸状部を溝に嵌め易く、容器収納室内への容器の取り付けが容易となり、容器が左右に揺れて凸状部がこの壁を登っても、溝の底面へ向けた復帰が早く、容器のスライドの安定化が期待できる。
【図面の簡単な説明】
【図１】本発明容器支持装置の構成斜視図である。
【図２】本発明容器支持装置の要部斜視図である。
【図３】図２のＡ−Ａ対応断面図である。
【図４】図２のＢ−Ｂ対応断面図である。
【図５】本発明容器支持装置を適用した冷蔵庫の正面図である。
【図６】図５の冷蔵庫本体の正面図である。
【図７】図６の冷蔵庫本体の縦断側面図である。
【図８】図６の容器収納室へ容器を収納した状態の説明である。
【図９】図６の容器収納室から容器を取り外した状態の説明図である。
【図１０】本発明容器支持装置の他の実施形態を示す斜視図である。
【図１１】図１０のＣ−Ｃ部分に対応する断面図である。
【符号の説明】
１・・・冷蔵庫
２・・・冷蔵庫本体
３・・・冷蔵室
９・・・特定低温室（容器収納室）
１０・・・冷蔵室扉
５０・・容器
５５・・支持部
６０・・レール部
６２・・凸状部
６５・・レール面
６６Ａ・・左側壁
６６Ｂ・・右側壁
６７・・係止突起部
６８・・ストッパ
７０、７０Ａ・・溝
７１・・特定低温室（容器収納室）の底板
【図１】
2004085055.tif 000003
【図２】
2004085055.tif 000004
【図３】
2004085055.tif 000005
【図４】
2004085055.tif 000006
【図５】
2004085055.tif 000007
【図６】
2004085055.tif 000008
【図７】
2004085055.tif 000009
【図８】
2004085055.tif 000010
【図９】
2004085055.tif 000011
【図１０】
2004085055.tif 000012
【図１１】
2004085055.tif 000013